(57)【特許請求の範囲】
【請求項１】
大径の下端嵌合口と小径の上端嵌合口を備えた合成樹脂製の筒状柱と、この筒状柱を左右に二等分した形状の合成樹脂製の半筒状柱と、上記の筒状柱を前後左右に四等分した形状の合成樹脂製の四半筒状柱と、合成樹脂製の方形の梁体とを有する充填材であって、上記梁体の４つの隅角部を除く上面には、上記筒状柱の下端嵌合口を嵌合させる大径環状溝が形成され、上記梁体の４つの隅角部の上面には、この大径環状溝を四等分した大径の四半環状溝が形成され、上記梁体の４つの隅角部を除く下面には、上記筒状柱の上端嵌合口を嵌合させる小径環状溝が大径環状溝と同心的に形成され、上記梁体の４つの隅角部の下面には、この小径環状溝を四等分した小径の四半環状溝が大径の四半環状溝と同心的に形成され、上記梁体の側枠部には円弧状の凹欠部が形成されていることを特徴とする地下水槽の充填材。
【請求項２】
上記梁体が正方形の平面形状を有し、その中央部の上面と下面に大径環状溝と小径環状溝が形成されている請求項１に記載の地下水槽の充填材。
【請求項３】
上記梁体の小径環状溝の内側に開口部が形成されている請求項１又は請求項２に記載の地下水槽の充填材。
【請求項４】
上記梁体の四辺に、側板の係合突起を係合させる切欠部が形成されている請求項１ないし請求項３のいずれかに記載の地下水槽の充填材。
【請求項５】
請求項１ないし請求項４のいずれかに記載の地下水槽の充填材を用いて、その筒状柱と半筒状柱と四半筒状柱を地下水槽の底板の上に配置し、その上に梁体を前後左右に並べ、各梁体の小径環状溝と、「田」の字状に隣接する４つの梁体の隅角部の小径の四半環状溝が合体して形成される小径の環状溝に、筒状柱の上端嵌合口を下方から嵌合させ、前後左右に並べた梁体の集合体のコーナー部に位置する小径の四半環状溝に、四半筒状柱の上端嵌合口を下方から嵌合させ、梁体の集合体の四辺に沿って互いに隣接する２つの梁体の隅角部の小径の四半環状溝が合体して形成される小径の半環状溝に、半筒状柱の上端嵌合口を下方から嵌合させ、更に梁体の集合体の上に筒状柱と半筒状柱と四半筒状柱を配置し、各梁体の大径環状溝と、「田」の字状に隣接する４つの梁体の隅角部の大径の四半環状溝が合体して形成される大径の環状溝に、筒状柱の下端嵌合口を上方から嵌合させ、梁体の集合体のコーナー部に位置する大径の四半環状溝に四半筒状柱の下端嵌合口を上方から嵌合させ、梁体の集合体の四辺に沿って互いに隣接する２つの梁体の隅角部の大径の四半環状溝が合体して形成される大径の半環状溝に、半筒状柱の下端嵌合口を上方から嵌合させ、このようにして各柱と梁体の集合体とを交互に地下水槽の高さ寸法になるまで積上げた立体構造物の四側面と上面に、側板と天板を取付けたことを特徴とする地下水槽の充填構造。
【請求項６】
底板が梁体と実質的に同じ四辺の寸法を有する合成樹脂製の方形の多孔板であって、その４つの隅角部を除く上面に筒状柱の下端嵌合口を嵌合させる大径の環状溝が形成されると共に、４つの隅角部の上面にこの大径の環状溝を四等分した大径の四半環状溝が形成されたものであり、この底板が梁体と同様に前後左右に並べられ、各底板の大径の環状溝と、「田」の字状に隣接する４つの底板の隅角部の四半環状溝が合体して形成される大径の環状溝に、筒状柱の下端嵌合口が上方から嵌合され、前後左右に並べた底板の集合体のコーナー部に位置する大径の四半環状溝に、四半筒状柱の下端嵌合口が上方から嵌合され、底板の集合体の四辺に沿って互いに隣接する２つの底板の隅角部の四半環状溝が合体して形成される大径の半環状溝に、半筒状柱の下端嵌合口が上方から嵌合されている請求項５に記載の地下水槽の充填構造。
【請求項７】
底板がその四辺に係合突起を備えたもので、側板として兼用され、各柱と梁体の集合体とを交互に積上げた立体構造物の四側面に露出する梁体の切欠部に上記係合突起を係合させて取付けられている請求項６に記載の地下水槽の充填構造。
【発明の詳細な説明】
【技術分野】
【０００１】
本発明は、駐車場、公園、宅地などの地下に設けられる地下水槽の充填材及び充填構造に関し、特に、数ｍ３〜十数ｍ３程度の比較的小さな容積の地下水槽に好ましく使用される充填材及び充填構造に関する。
【背景技術】
【０００２】
未舗装の道路や空き地が殆どない都市化の進んだ地域では、雨水が地中に浸透することなく道路の側溝などを通じて河川へ流れ込むため、雨期には短時間で河川の容量を超えて所謂、都市型洪水を引き起こす恐れがある。一方、乾期にはダムや湖の水位が低下して水不足となるため、各地で水道水の給水制限が行われ、庭の植物に充分量の水を与えることも難しくなっている。
【０００３】
このような事情から、地下水槽を設けて雨水を一時貯溜したのち河川等へ徐々に放流するか、地下へ徐々に浸透させることによって、都市型洪水を防止したり、地下水槽に貯溜した雨水を汲み上げて植物に与えるなどの有効利用が行われるようになってきた。
【０００４】
このような地下水槽に充填される充填材として、例えば、１０〜１５個程度の孔状連結部を連結桟で連結した連結用枠の該孔状連結部に、中空の支柱をそれぞれ嵌合固定し、これを前後左右に並べて隣接する連結用枠同士をＨ型の連結駒で連結しながら積み上げるものが知られている（特許文献１）。
【０００５】
しかしながら、上記の充填材のようにＨ型の連結駒で連結用枠同士を連結するものは、部品数が多く接続作業が面倒であることに加えて、連結用枠同士の連結強度が弱くタイトに連結し難いため、積み上げたときの安定性が不十分であり、大きい外力を受けると、一部の連結駒が破損したり連結がルーズになって、積上げた充填材の変形や崩壊を招く恐れがあった。また、支柱の本数が多く支柱相互の間隔が小さいため、側方から太い流入管や流出管を挿入できないという問題があり、更に、連結用枠に点検口を後加工により設けて上方から点検、保守を行うことが難しいという問題もあった。
【特許文献１】特開２０００−１９２５１６号公報
【発明の開示】
【発明が解決しようとする課題】
【０００６】
本発明は上記の問題に鑑みなされたもので、連結用枠に該当する梁体同士を強固に連結でき、大きい外力が作用しても積上げた充填材の変形や崩壊が生じ難く、施工性が良好で連結駒が一切不要であり、太い流入管等を側方から挿入したり上方から点検などを行うこともできる、地下水槽の充填材と充填構造を提供することを解決課題としている。
【課題を解決するための手段】
【０００７】
上記課題を解決するため、本発明に係る地下水槽の充填材は、大径の下端嵌合口と小径の上端嵌合口を備えた合成樹脂製の筒状柱と、この筒状柱を左右に二等分した形状の合成樹脂製の半筒状柱と、上記の筒状柱を前後左右に四等分した形状の合成樹脂製の四半筒状柱と、合成樹脂製の方形の梁体とを有する充填材であって、上記梁体の４つの隅角部を除く上面には、上記筒状柱の下端嵌合口を嵌合させる大径環状溝が形成され、上記梁体の４つの隅角部の上面には、この大径環状溝を四等分した大径の四半環状溝が形成され、上記梁体の４つの隅角部を除く下面には、上記筒状柱の上端嵌合口を嵌合させる小径環状溝が大径環状溝と同心的に形成され、上記梁体の４つの隅角部の下面には、この小径環状溝を四等分した小径の四半環状溝が大径の四半周溝と同心的に形成され、上記梁体の側枠部には円弧状の凹欠部が形成されていることを特徴とするものである。
【０００８】
本発明の充填材においては、梁体が正方形の平面形状を有し、その中央部の上面と下面に大径環状溝と小径環状溝が形成されていることが好ましく、また、梁体の小径環状溝の内側に開口部が形成されていることも好ましい。そして、梁体の四辺に、側板の係合突起を係合させる切欠部が形成されていることも好ましい。
【０００９】
本発明に係る地下水槽の充填構造は、上記の充填材を用いて、筒状柱と半筒状柱と四半筒状柱を地下水槽の底板の上に配置し、その上に梁体を前後左右に並べ、各梁体の小径環状溝と、「田」の字状に隣接する４つの梁体の隅角部の小径の四半環状溝が合体して形成される小径の環状溝に、筒状柱の上端嵌合口を下方から嵌合させ、前後左右に並べた梁体の集合体のコーナー部に位置する小径の四半環状溝に、四半筒状柱の上端嵌合口を下方から嵌合させ、梁体の集合体の四辺に沿って互いに隣接する２つの梁体の隅角部の小径の四半環状溝が合体して形成される小径の半環状溝に、半筒状柱の上端嵌合口を下方から嵌合させ、更に梁体の集合体の上に筒状柱と半筒状柱と四半筒状柱を配置し、各梁体の大径環状溝と、「田」の字状に隣接する４つの梁体の隅角部の大径の四半環状溝が合体して形成される大径の環状溝に、筒状柱の下端嵌合口を上方から嵌合させ、梁体の集合体のコーナー部に位置する大径の四半環状溝に四半筒状柱の下端嵌合口を上方から嵌合させ、梁体の集合体の四辺に沿って互いに隣接する２つの梁体の隅角部の大径の四半環状溝が合体して形成される大径の半環状溝に、半筒状柱の下端嵌合口を上方から嵌合させ、このようにして各柱と梁体の集合体とを交互に地下水槽の高さ寸法になるまで積上げた立体構造物の四側面と上面に、側板と天板を取付けたことを特徴とするものである。
【００１０】
本発明の充填構造においては、底板が梁体と実質的に同じ四辺の寸法を有する合成樹脂製の方形の多孔板であって、その４つの隅角部を除く上面に筒状柱の下端嵌合口を嵌合させる大径の環状溝が形成されると共に、４つの隅角部の上面にこの大径の環状溝を四等分した大径の四半環状溝が形成されたものであり、この底板が梁体と同様に前後左右に並べられ、各底板の大径の環状溝と、「田」の字状に隣接する４つの底板の隅角部の四半環状溝が合体して形成される大径の環状溝に、筒状柱の下端嵌合口が上方から嵌合され、前後左右に並べた底板の集合体のコーナー部に位置する大径の四半環状溝に、四半筒状柱の下端嵌合口が上方から嵌合され、底板の集合体の四辺に沿って互いに隣接する２つの底板の隅角部の四半環状溝が合体して形成される大径の半環状溝に、半筒状柱の下端嵌合口が上方から嵌合されていることが好ましい。
【００１１】
そして、底板がその四辺に係合突起を備えたもので、側板として兼用され、各柱と梁体の集合体とを交互に積上げた立体構造物の四側面に露出する梁体の切欠部に上記係合突起を係合させて取付けられていることも好ましい。
【発明の効果】
【００１２】
本発明の充填材は、本発明の充填構造の通りに積上げられるものであるから、「田」の字状に隣接する４つの梁体は、その隅角部の上面側の大径の四半環状溝が合体して形成される大径の環状溝に上方から嵌合された筒状柱の下端嵌合口と、その隅角部の下面側の小径の四半環状溝が合体して形成される小径の環状溝に下方から嵌合された筒状柱の上端嵌合口とによって、４つの隅角部同士が強固に二重連結されて支持され、また、前後左右に並べた梁体の集合体の四辺に沿って隣接する２つの梁体は、その隅角部の上面側の大径の四半環状溝が合体して形成される大径の半環状溝に上方から嵌合された半筒状柱の下端嵌合口と、その隅角部の下面側の小径の四半環状溝が合体して形成される小径の半環状溝に下方から嵌合された半筒状柱の上端嵌合口とによって、２つの隅角部同士が強固に二重連結されて支持される。そして、各梁体は、その上面中央の大径の環状溝と下面中央の小径の環状溝に下端嵌合口と上端嵌合口が嵌合された筒状柱によって支持され、また、梁体の集合体のコーナー部に位置する梁体の隅角部は、四半筒状柱によって支持される。
【００１３】
このように、本発明の充填材を用いた充填構造は、梁体同士が筒状柱と半筒状柱によって強固に二重連結され、各梁体の中央と隅角部が筒状柱と半筒状柱と四半筒状柱によって均等に支持されながら積み上げられるため、強度と積上げの安定性に優れており、上方や側方から大きい外力が作用しても、積上げた立体構造物が変形したり崩壊する心配は殆どなく、従来の連結駒も一切不要となる。しかも、梁体の集合体の四辺から柱が外側に出ないように、集合体の四辺に沿って半筒状柱を配置すると共に、集合体のコーナー部に四半筒状柱を配置して積上げているため、立体構造物の四側面が突起物のない平坦面となり、側板の取付けが容易になる。また、本発明の充填材を用いた充填構造は、梁体に対する各柱の本数が少なく、積上げた立体構造物の側面における半筒状柱相互の間隔や半筒状柱と四半筒状柱との間隔が広いことに加えて、梁体の側枠部に円弧状の凹欠部が形成されているため、側方から太い流入管や流出管を挿入することができる。そして、梁体の小径環状溝の内側に開口部が形成されているので、積上げた筒状柱が該開口部によって上下に連通することになり、この上下に連通した筒状柱を利用して上方から点検等を行うこともできる。
【００１４】
また、底板が前記のような大径の環状溝と大径の四半環状溝を形成した方形の多孔板であると、この底板を前後左右に並べて、前記のように筒状柱、半筒状柱、四半筒状柱のそれぞれの下端嵌合口を、各底板の環状溝、四半環状溝が合体して形成される環状溝及び半環状溝、コーナー部の四半周溝に嵌合させることによって、これらの柱を位置決めしながら簡単に配置することができると共に、筒状柱や半筒状柱によって各底板を連結することができるため、施工性が大幅に向上する。そして、底板の四辺に係合突起を形成したものは、前記のように側板として兼用し、充填材を積上げた立体構造物の四側面に露出する梁体の切欠部に係合突起を係合させることによって、立体構造物の四側面に簡単に取付けることができる。
【発明を実施するための最良の形態】
【００１５】
以下、図面を参照して本発明の具体的な実施形態を詳述する。
【００１６】
図１は本発明に係る地下水槽の充填材の構成部材である梁体の斜視図、図２は裏返しにした同梁体の斜視図、図３は同充填材の構成部材である筒状柱の斜視図、図４は同充填材の構成部材である半筒状柱の斜視図、図５は同充填材の構成部材である四半筒状柱の斜視図、図６は本発明に係る地下水槽の充填構造に用いる底板の斜視図、図７の（ａ）は側板を梁体に取付ける前の状態を示す拡大部分斜視図、図７の（ｂ）は側板を梁体に取付けた後の状態を示す拡大部分斜視図、図８は前後左右に並べた底板に筒状柱、半筒状柱、四半筒状柱を配置したところを示す斜視図、図９は本発明に係る充填材を用いた充填構造の組立て方を説明する斜視図、図１０は本発明に係る地下水槽の充填構造を示す概略全体図である。
【００１７】
本発明に係る地下水槽の充填材は、図１、図２に示す合成樹脂製の梁体１と、図３、図４、図５にそれぞれ示す合成樹脂製の筒状柱２、半筒状柱３、四半筒状柱４とからなる。
【００１８】
筒状柱２は、図３に示すように、大径の下端嵌合口２ａと小径の上端嵌合口２ｂを備えたテーパー付きの異径円筒状の柱である。その大きさや肉厚は特に制限されないが、強度、運搬性、取扱性等を考慮すると、高さを２５０〜５００ｍｍ程度、下端嵌合口２ａの口径を２００ｍｍ程度、上端嵌合口２ｂの口径を１５０ｍｍ程度、肉厚を１〜５ｍｍ程度に設定することが好ましい。
【００１９】
半筒状柱３は、図４に示すように、前記の筒状柱２を左右に二等分した形状を有するもので、前記の下端嵌合口２ａを二等分した形状の下端嵌合口３ａと、前記の上端嵌合口２ｂを二等分した形状の上端嵌合口３ｂを備えたテーパー付きの異径半円筒状の柱である。また、四半筒状柱４は、図５に示すように、前記の筒状柱２を前後左右に四等分した形状を有するもので、前記の下端嵌合口２ａを四等分した形状の下端嵌合口４ａと、前記の上端嵌合口２ｂを四等分した形状の上端嵌合口４bを備えたテーパー付きの異径四半円筒状の柱である。
【００２０】
一方、梁体１は、図１に示すように正方形の平面形状を有するもので、その中央部の上面には、前記筒状柱２の大径の下端嵌合口２ａを嵌合させる大径環状溝１ａが形成されており、この大径環状溝１ａを四等分した大径の四半環状溝１ｂが、梁体１の４つの隅角部の上面にそれぞれ形成されている。そして、図２に示すように、この梁体１の中央部の下面には、前記筒状柱２の小径の上端嵌合口２ｂを嵌合させる小径環状溝１ｃが形成されており、この小径環状溝１ｃを四等分した小径の四半環状溝１ｄが、梁体１の４つの隅角部の下面にそれぞれ形成されている。
【００２１】
図１に示すように、この梁体１は、四辺の側枠部１ｅと、その内側の環状内枠部１ｆと、大径環状溝１ａの外周壁と、大径の四半環状溝１ｂの湾曲外壁とが、前後・左右・斜め方向に延びる多数の連結片１ｇによって連結一体化された構造を有しており、下面の小径環状溝１ｃの内周壁の内側は円形の開口部１ｈとなっている。そして、四辺の側枠部１ｅには、後述する側板の係合突起を係合させる切欠部１ｉが二箇所ずつ形成されており、また、図２に示すように、各側枠部１ｅの中央部下端と環状内枠部１ｆの前後左右の下端には、円弧状の凹欠部１ｊが形成されている。この凹欠部１ｊは、本発明の充填材を積上げたときに、側方から、より太い流入管や流出管を挿入可能とするために形成されたものである。
【００２２】
梁体１の大きさは特に限定されないが、前記筒状柱２等とのバランス、強度、運搬性、取扱性などを考慮すると、一辺の長さを５００ｍｍ程度、高さ（上下厚み）を５０ｍｍ程度に設定することが好ましい。なお、大径環状溝１ａの直径が前記筒状柱２の下端嵌合口２ａの口径と同一に設定され、小径環状溝１ｃの直径が前記筒状柱２の上端嵌合口２ｂの口径と同一に設定され、これらの環状溝１ａ，１ｃの溝幅が前記筒状柱２の肉厚よりも少し広く設定されることは言うまでもない。
【００２３】
本発明に係る地下水槽の充填構造は、図１０に示すように、既述した枠体１と筒状柱２と半筒状柱３と四半筒状柱４とを有する充填材を用いて、地下水槽の底板５の上に後述する要領で組立てた立体構造物の四側面と上面に側板６と天板７を取付けたものである。
【００２４】
この充填構造に用いる底板５は、図６に示すように、前記梁体１と実質的に同じ四辺の寸法を有する合成樹脂製の正方形の多孔板（但し、図６では孔が図示されていない）であって、この底板５の中央部の上面には、前記筒状柱２の下端嵌合口２ａを嵌合させる大径の環状溝５ａが形成されており、４つの隅角部の上面には、上記の環状溝５ａを四等分した大径の四半環状溝５ｂが形成されている。そして、前後・左右・斜めに延びるリブ５ｃと環状のリブ溝５ｄが形成されて底板５の強度や剛性が高められており、また、底板５の四辺には前記梁体１の切欠部１ｉに係合させる係合突起５ｅが二つずつ形成されている。この係合突起５ｅは、底板５を側板６として兼用する場合に必要なものであり、兼用しない場合はなくてもよい。
【００２５】
本発明の充填構造を組立てる場合は、先ず、図８に示すように底板５を地下水槽の底に前後左右に並べて、その上に筒状柱２、半筒状柱３、四半筒状柱４を配置し、各底板５の中央の環状溝５ａと、「田」の字状に隣接する４つの底板５の隅角部の四半環状溝５ｂが合体して形成される環状溝に、筒状柱２の下端嵌合口２ａを上方から嵌合させ、前後左右に並べた底板５の集合体のコーナー部に位置する四半環状溝５ｂに、四半筒状柱４の下端嵌合口４ａを上方から嵌合させ、底板５の集合体の四辺に沿って互いに隣接する２つの底板５の隅角部の四半環状溝５ｂが合体して形成される半環状溝に、半筒状柱３の下端嵌合口３ａを上方から嵌合させる。このようにすると、「田」の字状に隣接する４つの底板５は、その隅角部の四半環状溝５ｂが合体して形成される環状溝に嵌合された筒状柱２の下端嵌合口２ａによって４つの隅角部同士が強固に連結され、底板の集合体の四辺に沿って隣接する２つの底板５は、その隅角部の四半環状溝５ｂが合体して形成される半環状溝に嵌合された半筒状柱３の下端嵌合口３ａによって２つの隅角部同士が強固に連結される。
【００２６】
次いで、図９に示すように、梁体１を上記の柱２，３，４の上に前後左右に並べ、各梁体１の下面中央の小径環状溝１ｃと、「田」の字状に隣接する４つの梁体１の隅角部下面の小径の四半環状溝１ｄが合体して形成される小径の環状溝に、筒状柱２の上端嵌合口２ｂを下方から嵌合させ、前後左右に並べた梁体１の集合体のコーナー部に位置する小径の四半環状溝１ｄに、四半筒状柱４の上端嵌合口４ｂを下方から嵌合させ、梁体の集合体の四辺に沿って互いに隣接する２つの梁体１の隅角部下面の小径の四半環状溝１ｄが合体して形成される小径の半環状溝に、半筒状柱３の上端嵌合口３ｂを下方から嵌合させる。そして、この梁体１の集合体の上に筒状柱２と半筒状柱３と四半筒状柱４を配置し、各梁体１の上面の大径環状溝１ａと、「田」の字状に隣接する４つの梁体１の隅角部上面の大径の四半環状溝１ｂが合体して形成される大径の環状溝に、筒状柱２の下端嵌合口２ａを上方から嵌合させ、梁体１の集合体のコーナー部に位置する大径の四半環状溝１ｂに四半筒状柱４の下端嵌合口４ａを上方から嵌合させ、梁体の集合体の四辺に沿って互いに隣接する２つの梁体１の隅角部上面の大径の四半環状溝１ｂが合体して形成される大径の半環状溝に、半筒状柱３の下端嵌合口３ａを上方から嵌合させる。
【００２７】
上記の要領で、本発明の充填材の構成部材である各柱２，３，４と梁体１の集合体とを交互に地下水槽の高さ寸法になるまで積上げ、図１０に示すように、この積上げた立体構造物の四側面と上面に側板６と天板７を取付ける。この実施形態の充填構造では、側板６として前記の底板５を兼用し、図７の（ａ）（ｂ）に示すように、側板６として兼用した底板５の係合突起５ｅを、積上げた立体構造物の四側面に露出する梁体１の切欠部１ｉに係合させることによって、図１０に示すように梁体二段に対して側板一枚の割合で取付けている。そして、底板５を裏返しにして天板７として兼用し、この底板５を最上段のそれぞれの梁体１の上に載置すると共に、係合突起５ｅが邪魔にならないように梁体１の切欠部１ｉに係合突起５ｅを挿入している。
【００２８】
このような充填構造の地下水槽では、図１０に示すように、必要に応じて底板５の下側及び側板６の外側に透水性又は遮水性のシート８が設けられ、天板７の上側には透水性のシート９が設けられる。そして、側板６とシート８に開口が形成され、この開口を通して流入管１０や流出管１１が充填材を積み上げた立体構造物の側面に挿入される。その場合、梁体１や各柱２，３，４が既述した寸法であると、管径が２００ｍｍ程度の太い流入管１０や流出管１１を挿入することができる。
【００２９】
また、図１０に示すように、必要に応じて天板７とその上の透水性シート９に開口が形成され、この開口を通して点検口となる蓋付きの縦管１２が挿入されて最上段の梁体１の大径環状溝１ａに嵌着される。このように蓋付きの縦管１２を設けると、その下方のそれぞれの筒状柱２が既述したように連通しているため、この縦管１２の蓋を外して地上から地下水槽の内部点検等をすることができる。
【００３０】
以上のように本発明の充填材を用いて組立てた充填構造によれば、「田」の字状に隣接する４つの梁体１は、その隅角部の上面側の大径の四半環状溝１ｂが合体して形成される大径の環状溝に上方から嵌合された筒状柱２の下端嵌合口２ａと、その隅角部の下面側の小径の四半環状溝１ｄが合体して形成される小径の環状溝に下方から嵌合された筒状柱２の上端嵌合口２ｂとによって、４つの隅角部同士が強固に二重連結されて支持され、また、前後左右に並べた梁体の集合体の四辺に沿って隣接する２つの梁体１は、その隅角部の上面側の大径の四半環状溝１ｂが合体して形成される大径の半環状溝に上方から嵌合された半筒状柱３の下端嵌合口３ａと、その隅角部の下面側の小径の四半環状溝１ｄが合体して形成される小径の半環状溝に下方から嵌合された半筒状柱３の上端嵌合口３ｂとによって、２つの隅角部同士が強固に二重連結されて支持される。そして、各梁体１は、その上面中央の大径の環状溝１ａと下面中央の小径の環状溝１ｃにそれぞれ下端嵌合口２ａと上端嵌合口２ａが嵌合された筒状柱２によって支持され、また、梁体の集合体のコーナー部に位置する梁体１の隅角部は、四半筒状柱４によって支持される。このように、本発明の充填材を用いて組立てた充填構造は、梁体１同士が筒状柱２と半筒状柱３によって強固に二重連結され、各梁体１の中央と隅角部が筒状柱２と半筒状柱３と四半筒状柱４によって均等に支持されながら積み上げられるため、強度と積上げの安定性に優れており、上方や側方から大きい外力が作用しても、この充填材を用いて組立てた立体構造物が変形したり崩壊する心配は殆どなく、また、従来の連結駒を一切使用しないで充填材の積上げ作業を簡単に行えるので施工性が良好である。しかも、梁体１の集合体の四辺から柱が外側に出ないように、集合体の四辺に沿って半筒状柱３を配置すると共に、集合体のコーナー部に四半筒状柱４を配置して積上げているため、積上げた立体構造物の四側面が突起物のない平坦面となって側板６（５）の取付けが容易であり、更に、梁体１の側枠部１ｅに円弧状の凹欠部１ｊを形成しているため、側方から、より太い流入管や流出管を挿入することが可能である。
【図面の簡単な説明】
【００３１】
【図１】本発明に係る地下水槽の充填材の構成部材である梁体の斜視図である。
【図２】裏返しにした同梁体の斜視図である。
【図３】同充填材の構成部材である筒状柱の斜視図である。
【図４】同充填材の構成部材である半筒状柱の斜視図である。
【図５】同充填材の構成部材である四半筒状柱の斜視図である。
【図６】本発明に係る地下水槽の充填構造に用いる底板の斜視図である。
【図７】（ａ）は側板を梁体に取付ける前の状態を示す拡大部分斜視図であり、（ｂ）は側板を梁体に取付けた後の状態を示す拡大部分斜視図である。
【図８】前後左右に並べた底板に筒状柱、半筒状柱、四半筒状柱を配置したところを示す斜視図である。
【図９】本発明に係る充填材を用いた充填構造の組立て方を説明する斜視図である。
【図１０】本発明に係る地下水槽の充填構造を示す概略全体図である。
【符号の説明】
【００３２】
１    梁体
１ａ  大径環状溝
１ｂ  大径の四半環状溝
１ｃ  小径環状溝
１ｄ  小径の四半環状溝
１ｈ  開口部
１ｉ  切欠部
２    筒状柱
２ａ  筒状柱の下端嵌合口
２ｂ  筒状柱の上端嵌合口
３    半筒状柱
３ａ  半筒状柱の下端嵌合口
３ｂ  半筒状柱の上端嵌合口
４    四半筒状柱
４ａ  四半筒状柱の下端嵌合口
４ｂ  四半筒状柱の上端嵌合口
５    底板
５ａ  底板の大径の環状溝
５ｂ  底板の大径の四半環状溝
５ｅ  係合突起
６    側板
７    天板
１０  流入管
１１  流出管
１２  点検口となる蓋付きの縦管
【図１】
0004695461.tif 000002
【図２】
0004695461.tif 000003
【図３】
0004695461.tif 000004
【図４】
0004695461.tif 000005
【図５】
0004695461.tif 000006
【図６】
0004695461.tif 000007
【図７】
0004695461.tif 000008
【図８】
0004695461.tif 000009
【図９】
0004695461.tif 000010
【図１０】
0004695461.tif 000011